(57)【要約】  導光路の入射側端部を構成し、光源からの光が入射する入射部（２）と、入射部から入射し導光路を進行する光の進行方向を、反射によって折り曲げる反射部と、導光路の射出側端部を構成し、反射部での反射を経て導光路を通過した光を射出させる射出部（３）と、を有し、反射部は、導光路を進行する光を、第１分岐光路（１１）と、第１の方向において第１分岐光路と並列された第２分岐光路（１２）とに分岐させる分岐反射部（５）を含み、第１分岐光路のうち射出部側の部分と、第２分岐光路のうち射出部側の部分とは、第１の方向に垂直な第２の方向において並列されて一体とされ、射出部は、第１分岐光路および第２分岐光路から合流された光を射出させる。
2014087526.tif 000002
【特許請求の範囲】
【請求項１】
導光路の入射側端部を構成し、光源からの光が入射する入射部と、
前記入射部から入射し前記導光路を進行する光の進行方向を、反射によって折り曲げる反射部と、
前記導光路の射出側端部を構成し、前記反射部での反射を経て前記導光路を通過した光を射出させる射出部と、を有し、
前記反射部は、前記導光路を進行する光を、第１分岐光路と、第１の方向において前記第１分岐光路と並列された第２分岐光路とに分岐させる分岐反射部を含み、
前記第１分岐光路のうち前記射出部側の部分と、前記第２分岐光路のうち前記射出部側の部分とは、前記第１の方向に垂直な第２の方向において並列されて一体とされ、
前記射出部は、前記第１分岐光路および前記第２分岐光路から合流された光を射出させることを特徴とする導光装置。
【請求項２】
前記第１分岐光路は、前記分岐反射部から前記第１分岐光路へ導入された光を、前記第２分岐光路に対して前記第２の方向へシフトさせるための前記反射部であるシフト反射部を有することを特徴とする請求項１に記載の導光装置。
【請求項３】
前記シフト反射部は、階段状に並列させた複数の反射面を備えることを特徴とする請求項２に記載の導光装置。
【請求項４】
前記射出部は、前記導光路から射出させる光を拡散させる拡散面であることを特徴とする請求項１から３のいずれか一つに記載の導光装置。
【発明の詳細な説明】
【技術分野】
【０００１】
本発明は、導光装置に関する。
【背景技術】
【０００２】
電化製品の電源等の状態を表示するための表示用ライトとして、ＬＥＤ等の光源からの光を導く導光装置を使用するものが知られている。導光装置は、光源から入射した光を、例えば表示窓として機能する射出部にまで導く。光源が光を発生させる向きと、導光装置の射出部の向きとが異なる場合、導光装置は、導光路において光の進行方向を変化させることで、光源からの光を射出部へ導く。【０００３】
例えば、特許文献１には、光源からの光を、光源の光軸に対して垂直な方向に２分割する導光体を備える車両用灯具ユニットが開示されている。かかる導光体を備えることで、車両用灯具ユニットは、互いに異なる箇所から光を射出させる２つのランプとしての機能を果たすことができる。
【先行技術文献】
【特許文献】
【０００４】
【特許文献１】特開２０１２−２８１５６号公報
【発明の概要】
【発明が解決しようとする課題】
【０００５】
導光装置は、例えば点光源からの光を、幅広に形成された射出部へ射出させるためには、導光路において点光源からの光束の幅を拡張させることが望ましい。光を導くとともに光束の幅を拡張させる導光路を適用することで、導光装置は、光束の幅の拡張のためのレンズ等の構成要素を別途追加する場合よりも、構成の簡素化が可能となる。また、導光装置は、導光路内の拡散部材によって光を拡張させる場合に比べて、光の指向性を維持可能とすることで、射出部における輝度の低下を抑制させることができる。【０００６】
導光装置は、導光路において光束を分割させ、光束の幅を拡張させる方向に応じて光束を並べることで、簡易な構成によって導光路の射出部にまで効率良く光を導くとともに、射出部において所望の幅にまで拡張された光束を得ることができる。【０００７】
一方、特許文献１の構成では、分割された各光束は、光源の光軸から離れた箇所へそれぞれ導かれる。光源の光軸の延長線は、分割された各光束が到達する射出面同士の間に位置する。かかる光軸およびその延長線上の部分は、光束の分割に関わる反射面が配置されるだけであって、射出面が配置されない部分とされる。かかる構成によると、分割された各光束を合わせることによって光束の幅を拡張可能とするには、さらに導光部材の連結を要することになる。このため、導光装置は、特許文献１の構成による光束の分割を適用しても、限られたスペース内で光束を最大限にまで拡張させて射出部に導く構成とすることが困難である。【０００８】
本発明は、上記に鑑みてなされたものであって、簡易かつ限られたスペース内の構成によって光束の幅を拡張可能とし、光源からの光を効率良く射出部にまで導くことを可能とする導光装置を得ることを目的とする。
【課題を解決するための手段】
【０００９】
上述した課題を解決し、目的を達成するために、本発明は、導光路の入射側端部を構成し、光源からの光が入射する入射部と、前記入射部から入射し前記導光路を進行する光の進行方向を、反射によって折り曲げる反射部と、前記導光路の射出側端部を構成し、前記反射部での反射を経て前記導光路を通過した光を射出させる射出部と、を有し、前記反射部は、前記導光路を進行する光を、第１分岐光路と、第１の方向において前記第１分岐光路と並列された第２分岐光路とに分岐させる分岐反射部を含み、前記第１分岐光路のうち前記射出部側の部分と、前記第２分岐光路のうち前記射出部側の部分とは、前記第１の方向に垂直な第２の方向において並列されて一体とされ、前記射出部は、前記第１分岐光路および前記第２分岐光路から合流された光を射出させることを特徴とする。
【発明の効果】
【００１０】
本発明にかかる導光装置は、分岐反射部での反射により、第１分岐光路と第２分岐光路とに光を分岐させる。第１分岐光路を通過した光と第２分岐光路を通過した光とは、第２の方向において並列された状態で互いに合流され、射出部へ到達する。導光装置は、第１分岐光路および第２分岐光路の適用によって、簡易かつ限られたスペース内で光束の幅を拡張可能とする。導光装置は、光束の幅の拡張のためのレンズ等の構成要素を導光路内に別途追加するよりも、構成を簡素にできる。導光装置は、導光路内に拡散部材を設けて光を拡張させる場合に比べて、導光路における光の指向性を維持可能とし、射出部における輝度の低下を抑制できる。これにより、導光装置は、簡易かつ限られたスペース内の構成によって光束の幅を拡張可能とし、光源からの光を効率良く射出部にまで導くことができるという効果を奏する。
【図面の簡単な説明】
【００１１】
【図１】図１は、本発明の実施の形態にかかる導光装置を示す斜視図である。
【図２】図２は、図１に示す導光装置の上面図である。
【図３】図３は、図１に示す導光装置の側面図である。
【発明を実施するための形態】
【００１２】
以下に、本発明にかかる導光装置の実施の形態を図面に基づいて詳細に説明する。なお、この実施の形態によりこの発明が限定されるものではない。
【００１３】
実施の形態．
図１は、本発明の実施の形態にかかる導光装置を示す斜視図である。図２は、図１に示す導光装置の上面図である。図３は、図１に示す導光装置の側面図である。
【００１４】
導光装置１は、例えば、電化製品の電源等の状態を表示するための表示用ライトに使用される。光源２０は、例えばＬＥＤである。光源２０は、基板２１に実装されている。なお、光源２０は、光を射出させるものであれば良く、ＬＥＤ以外のものであっても良い。導光装置１は、表示用ライト以外に、いずれの構成に適用するものであっても良い。
【００１５】
導光装置１は、光を透過させる透過性部材、例えば、透明プラスチックやガラス等を材料として形成されている。導光装置１は、入射部２から入射した光を射出部３にまで導く導光路を構成する。入射部２は、導光路の入射側端部を構成する。入射部２には、光源２０からの光が入射する。
【００１６】
導光装置１は、複数の反射部である第１から第６反射部４〜９を有する。複数の反射部は、入射部２から入射し導光路を進行する光の進行方向を、反射によって折り曲げる。射出部３は、導光路の射出側端部を構成する。射出部３は、複数の反射部での反射を経て導光路を通過した光を射出させる。射出部３は、例えば、表示用ライトの表示窓として機能する。
【００１７】
図１において上下として示す方向を、第１の方向であるＺ軸方向とする。Ｘ軸方向は、Ｚ軸方向に垂直な第２の方向とする。Ｙ軸方向は、Ｚ軸方向およびＸ軸方向に垂直な第３の方向とする。光源２０は、例えば、Ｘ軸方向を光軸として配置されている。Ｘ軸方向のうち、光源２０から光を射出する方角をプラスＸ向き、プラスＸ向きとは逆の方角をマイナスＸ向きとする。
【００１８】
入射部２は、光源２０に対向するＹＺ平面をなす。入射部２には、Ｘ軸方向の主光線を含む光束が入射する。導光装置１へ入射した光は、複数の反射部での反射によって進行方向が変換され、射出部３へ導かれる。
【００１９】
射出部３は、ＸＹ平面をなす。射出部３のＸ軸方向における幅は、入射部２のＺ軸方向における幅よりも大きい。射出部３は、導光装置１を通過した光をＺ軸方向へ射出する。Ｚ軸方向のうち、射出部３から光を射出する方角をプラスＺ向き、プラスＺ向きとは逆の方角をマイナスＺ向きとする。
【００２０】
射出部３は、Ｙ軸方向において入射部２とは異なる位置に設けられている。Ｙ軸方向のうち、入射部２に対して射出部３が位置する方角をプラスＹ向き、プラスＹ向きとは逆の方角をマイナスＹ向きとする。
【００２１】
第１反射部４は、導光路のうち入射部２からプラスＸ向きへ進行した位置に設けられている。第１反射部４は、Ｘ軸方向およびＺ軸方向に対して４５度傾けられた平坦面をなす。第１反射部４は、入射部２からプラスＸ向きへ進行した光を、プラスＺ向きへ反射させる。
【００２２】
第２反射部５は、導光路のうち第１反射部４からプラスＺ向きへ進行した位置に設けられている。第２反射部５は、Ｙ軸方向およびＺ軸方向に対して４５度傾けられた平坦面をなす。第２反射部５は、第１反射部４からプラスＺ向きへ進行した光を、プラスＹ向きへ反射させる。
【００２３】
導光路のうち第２反射部５からプラスＹ向きへ進んだ部分は、２つの光路に分割されている。第１分岐光路１１は、２つの光路のうち入射部２から見てＺ軸方向において近い側に位置する光路である。第２分岐光路１２は、２つの光路のうち光源２０から見てＺ軸方向において遠い側に位置する光路である。
【００２４】
第１分岐光路１１のうち第２反射部５側の導入部分と、第２分岐光路１２のうち第２反射部５側の導入部分とは、Ｚ軸方向において互いに重ね合わせられている。第２反射部５は、導光路を進行する光を、第１分岐光路１１と第２分岐光路１２との分岐させる分岐反射部として機能する。
【００２５】
第１分岐光路１１と第２分岐光路１２とは、第１の方向であるＺ軸方向において互いに並列されている。第１分岐光路１１と第２分岐光路１２とは、導光路のうち第２反射部５と射出部３との間に位置する。第１分岐光路１１および第２分岐光路１２は、第２反射部５で反射した光をそれぞれ射出部３へ向けて導く。
【００２６】
第１分岐光路１１は、第３反射部６、第４反射部７および第５反射部８を有する。第３反射部６および第４反射部７は、シフト反射部として機能する。シフト反射部は、第２反射部５から第１分岐光路１１へ導入された光を、第２分岐光路１２に対してＸ軸方向へシフトさせるための反射部である。
【００２７】
第３反射部６は、第１分岐光路１１のうち第２反射部５からプラスＹ向きへ進行した位置に設けられている。第３反射部６は、Ｘ軸方向およびＹ軸方向に対して４５度傾けられた平坦面をなす。第３反射部６は、プラスＹ向きへ進行した光を、マイナスＸ向きへ反射させる。
【００２８】
第４反射部７は、第１分岐光路１１のうち第３反射部６からマイナスＸ向きへ進行した位置に設けられている。第４反射部７は、４つの反射面７ａ，７ｂ，７ｃ，７ｄを含む。各反射面７ａ，７ｂ，７ｃ，７ｄは、Ｘ軸方向およびＹ軸方向に対して４５度傾けられた平坦面である。第４反射部７は、第３反射部６からマイナスＸ向きに進行した光を、第２分岐光路１２を進行する光と同じプラスＹ向きとなるように方向変換させる。
【００２９】
各反射面７ａ，７ｂ，７ｃ，７ｄのうち第２反射部５から最も近くにある反射面７ａに対し、その隣の反射面７ｂは、反射面７ａを延長させた位置よりもマイナスＸ向きへずれた位置にある。反射面７ａと反射面７ｂとは、ＸＹ面内において段差を構成している。反射面７ｂと反射面７ｃ、反射面７ｃと反射面７ｄについても同様に、それぞれ段差を構成している。第４反射部７は、各反射面７ａ，７ｂ，７ｃ，７ｄを階段状に並列させて構成されている。
【００３０】
各反射面７ａ，７ｂ，７ｃ，７ｄは、第３反射部６からマイナスＸ向きに進行した光を、それぞれプラスＹ向きへ反射させる。第１分岐回路１は、階段状に各反射面７ａ，７ｂ，７ｃ，７ｄを並列させた第４反射部７を設けることで、１つの平坦な反射面を第４反射部７として適用する場合に比べて、射出部３へ向かう光束のＸ軸方向における幅を拡張させることができる。
【００３１】
なお、第４反射部７は、複数の反射面を階段状に並列させたものであれば良く、４つの反射面７ａ，７ｂ，７ｃ，７ｄを備えるものに限られない。シフト反射部は、第３反射部６および第４反射部７の少なくとも一方が、階段状に並列させた複数の反射面を含むものであれば良い。第４反射部７は、１つの平坦な反射面としても良い。
【００３２】
第５反射部８は、第１分岐光路１１のうち第４反射部７からプラスＹ向きへ進行した位置に設けられている。第５反射部８は、Ｙ軸方向およびＺ軸方向に対して４５度傾けられた平坦面をなす。第５反射部８は、プラスＹ向きへ進行した光を、射出部３へ向かうプラスＺ向きへ反射させる。
【００３３】
第２分岐光路１２は、第６反射部９を有する。第６反射部９は、第２分岐光路１２のうち第２反射部５からプラスＹ向きへ進行した位置に設けられている。Ｙ軸方向における第６反射部９の位置と第５反射部８の位置とは、一致している。また、Ｚ軸方向における第６反射部９の位置と第５反射部８の位置とは、互いにずれている。
【００３４】
第６反射部９は、第５反射部８と同様、Ｙ軸方向およびＺ軸方向に対して４５度傾けられた平坦面をなす。第６反射部９は、プラスＹ向きへ進行した光を、射出部３へ向かうプラスＺ向きへ反射させる。
【００３５】
第１分岐光路１１のうち射出部３側の部分と、第２分岐光路１２のうち射出部３側の部分とは、第２の方向であるＸ軸方向において並列されて一体とされている。第１分岐光路１１から第５反射部８での反射を経て射出部３へ向かう光と、第２分岐光路１２から第６反射部９での反射を経て射出部３へ向かう光とは、射出部３へ至るまでに、Ｘ軸方向へ並列された状態で合流する。射出部３は、第１分岐光路１１および第２分岐光路１２から合流された光を射出させる。
【００３６】
導光装置１は、第１分岐光路１１および第２分岐光路１２を設けることで、Ｚ軸方向において分割された各光束を、Ｘ軸方向に並列させて射出部３へ導く。光源２０の光軸が各反射部で９０度ずつ折り曲げられたものとみなすと、射出部３は光軸上に位置することになる。導光装置１は、光源２０からの光束を導光路によって所望の幅に拡張させるとともに、拡張させた光束を光軸上の射出部３から射出させることができる。導光装置１は、光軸上に射出部３を配置可能とすることで、光束の分割に関わる反射面だけが光軸上に配置される場合に対して、小型な構成において光束を最大限にまで拡張可能な構成にできる。
【００３７】
導光装置１は、光束の幅の拡張のためのレンズ等の構成要素を導光路内に別途追加するよりも、構成を簡素にできる。導光装置１は、導光路内に拡散部材を設けて光を拡張させる場合に比べて、導光路における光の指向性を維持可能とし、射出部３に至るまでにおける輝度の低下を抑制できる。これにより、導光装置１は、簡易かつ限られたスペース内の構成によって光束の幅を拡張可能とし、光源２０からの光を効率良く射出部３にまで導くことができるという効果を奏する。導光装置１は、光源２０から表示窓へ光を効率良く供給可能とすることで、表示用ライトによる消費電力を低減させることができる。
【００３８】
射出部３は、導光路から射出させる光を拡散させる拡散面としても良い。拡散面は、例えば、シボ加工等の表面処理により凹凸が施された面とする。導光装置１は、射出部３を拡散面とすることで、射出部３から一様に光を拡散させる。
【００３９】
第４反射部７の各反射面７ａ，７ｂ，７ｃ，７ｄからの光は、明るい部分と暗い部分との縞模様を生じさせることがある。導光装置１は、射出部３を拡散面とすることで、各反射面７ａ，７ｂ，７ｃ，７ｄ等に由来して生じ得る光量のムラを低減させることができる。なお、拡散面は、シボ加工以外の加工によって拡散機能を持たせた面であっても良い。
【００４０】
導光装置１の構成は、適宜変形可能であるものとする。導光装置１は、第２反射部５からの光が導入される２つの光路のうち、入射部２から見てＺ軸方向において遠い側に位置する光路を、シフト反射部を備える第１分岐光路１１としても良い。この場合、第２分岐光路１２は、２つの光路のうち、入射部２から見てＺ軸方向において近い側に位置する光路とする。
【００４１】
導光装置１は、入射部２をＸＹ平面とし、Ｚ軸方向の主光線を含む光束を入射部２から入射させるものとしても良い。この場合、第１反射部４は省略される。分岐反射部である第２反射部５は、入射部２からプラスＺ向きへ進行した光を、プラスＹ向きへ反射させる。
【００４２】
導光装置１は、導光路のうちいずれの部分において光束の幅を拡張させる構成であっても良い。第１分岐光路１１および第２分岐光路１２を設ける位置は、導光路のうち光をいずれの方向へ進行させる部分であっても良い。
【産業上の利用可能性】
【００４３】
以上のように、本発明にかかる導光装置は、限られたスペース内において光源からの光を射出部へ導く場合に有用であり、例えば、電化製品の電源等の状態を表示するための表示用ライトの導光手段として適している。
【符号の説明】
【００４４】
１  導光装置、２  入射部、３  射出部、４  第１反射部、５  第２反射部、６  第３反射部、７  第４反射部、７ａ，７ｂ，７ｃ，７ｄ  反射面、８  第５反射部、９  第６反射部、１１  第１分岐光路、１２  第２分岐光路、２０  光源、２１  基板。
【図１】
2014087526.tif 000003
【図２】
2014087526.tif 000004
【図３】
2014087526.tif 000005
【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
導光路の入射側端部を構成し、点光源である光源からの光が入射する入射部と、
前記入射部から入射し前記導光路を進行する光の進行方向を、反射によって折り曲げる反射部と、
前記導光路の射出側端部を構成し、前記反射部での反射を経て前記導光路を通過した光を射出させる射出部と、を有し、
前記反射部は、前記導光路を進行する光を、第１分岐光路と、第１の方向において前記第１分岐光路と並列された第２分岐光路とに分岐させる分岐反射部を含み、
前記第１分岐光路のうち前記分岐反射部側の導入部分と、前記第２分岐光路のうち前記分岐反射部側の導入部分とは、前記第１の方向において互いに重ね合わせられ、
前記第１分岐光路のうち前記射出部側の部分と、前記第２分岐光路のうち前記射出部側の部分とは、前記第１の方向に垂直な第２の方向において並列されて一体とされ、
前記分岐反射部は、前記第１の方向と、前記第１の方向および前記第２の方向に垂直な第３の方向とに対して傾けられ、前記第１の方向へ進行して入射した光を、前記第３の方向へ反射させるとともに前記第１分岐光路の前記導入部分と前記第２分岐光路の前記導入部分とへ分割させ、
前記射出部は、前記第１分岐光路および前記第２分岐光路から合流された光を射出させ、
前記射出部の前記第２の方向の幅が、前記入射部のうち、前記射出部の前記第２の方向に対応する方向の幅より大きいことを特徴とする導光装置。
【請求項２】
前記第１分岐光路は、前記分岐反射部から前記第１分岐光路へ導入された光を、前記第２分岐光路に対して前記第２の方向へシフトさせるための前記反射部であるシフト反射部を有することを特徴とする請求項１に記載の導光装置。
【請求項３】
前記シフト反射部は、階段状に並列させた複数の反射面を備え、
前記複数の反射面は、前記第２の方向における位置をずらしてなる段差を構成することを特徴とする請求項２に記載の導光装置。
【請求項４】
前記射出部は、前記導光路から射出させる光を拡散させる拡散面であることを特徴とする請求項１から３のいずれか一つに記載の導光装置。
【請求項５】
前記入射部は、前記第２の方向を光軸として配置された前記光源に対向する前記第１の方向および前記第３の方向に平行な面であって、
前記反射部は、
前記入射部から前記第２の方向へ進行した光を前記第１の方向へ反射させる第１反射部と、
前記分岐反射部である第２反射部と、
前記導入部分から前記第３の方向へ進行した光を前記第２の方向へ反射させる前記シフト反射部である第３反射部と、
前記第３反射部から前記第２の方向へ進行した光を前記第３の方向へ反射させる前記シフト反射部である第４反射部と、を含み、
前記第３反射部のうち前記第２反射部側の端部と、前記第４反射部のうち前記第２反射部側の端部とが、前記第２の方向の同一直線上にあり、
前記第３反射部のうち前記射出部側の端部と、前記第４反射部のうち前記第２反射部側の前記端部とが、前記第３の方向の同一直線上にあり、
前記第４反射部のうち前記射出部側の端部と、前記第３反射部のうち前記射出部側の前記端部とが、前記第２の方向の同一直線上にあることを特徴とする請求項１から４のいずれか一つに記載の導光装置。
【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
導光路の入射側端部を構成し、点光源である一つの光源からの光が入射する入射部と、
前記入射部から入射し前記導光路を進行する光の進行方向を、反射によって折り曲げる反射部と、
前記導光路の射出側端部を構成し、前記反射部での反射を経て前記導光路を通過した光を射出させる射出部と、を有し、
前記反射部は、前記導光路を進行する光を、第１分岐光路と、第１の方向において前記第１分岐光路と並列された第２分岐光路とに分岐させる分岐反射部を含み、
前記第１分岐光路のうち前記分岐反射部側の導入部分と、前記第２分岐光路のうち前記分岐反射部側の導入部分とは、前記第１の方向において互いに重ね合わせられ、
前記第１分岐光路のうち前記射出部側の部分と、前記第２分岐光路のうち前記射出部側の部分とは、前記第１の方向に垂直な第２の方向において並列されて一体とされ、
前記分岐反射部は、前記第１の方向と、前記第１の方向および前記第２の方向に垂直な第３の方向とに対して傾けられ、前記第１の方向へ進行して入射した光を、前記第３の方向へ反射させるとともに前記第１分岐光路の前記導入部分と前記第２分岐光路の前記導入部分とへ分割させ、
前記第１分岐光路と前記第２分岐光路とは、隙間無く並列して設置され、
前記第２の方向および前記第３の方向を含む面内において、前記第２分岐光路では直線方向へ光を進行させ、前記第１分岐光路では前記直線方向に対しシフトさせた光を前記直線方向に平行にさせ、
前記射出部は、前記第１分岐光路および前記第２分岐光路から合流された光を射出させ、
前記射出部の前記第２の方向の幅が、前記入射部のうち、前記射出部の前記第２の方向に対応する方向の幅より大きいことを特徴とする導光装置。
【請求項２】
前記第１分岐光路は、前記分岐反射部から前記第１分岐光路へ導入された光を、前記第２分岐光路に対して前記第２の方向へシフトさせるための前記反射部であるシフト反射部を有することを特徴とする請求項１に記載の導光装置。
【請求項３】
前記シフト反射部は、階段状に並列させた複数の反射面を備え、
前記複数の反射面は、前記第２の方向における位置をずらしてなる段差を構成することを特徴とする請求項２に記載の導光装置。
【請求項４】
前記射出部は、前記導光路から射出させる光を拡散させる拡散面であることを特徴とする請求項１から３のいずれか一つに記載の導光装置。
【請求項５】
前記入射部は、前記第２の方向を光軸として配置された前記光源に対向する前記第１の方向および前記第３の方向に平行な面であって、
前記反射部は、
前記入射部から前記第２の方向へ進行した光を前記第１の方向へ反射させる第１反射部と、
前記分岐反射部である第２反射部と、
前記導入部分から前記第３の方向へ進行した光を前記第２の方向へ反射させる前記シフト反射部である第３反射部と、
前記第３反射部から前記第２の方向へ進行した光を前記第３の方向へ反射させる前記シフト反射部である第４反射部と、を含み、
前記第３反射部のうち前記第２反射部側の端部と、前記第４反射部のうち前記第２反射部側の端部とが、前記第２の方向の同一直線上にあり、
前記第３反射部のうち前記射出部側の端部と、前記第４反射部のうち前記第２反射部側の前記端部とが、前記第３の方向の同一直線上にあり、
前記第４反射部のうち前記射出部側の端部と、前記第３反射部のうち前記射出部側の前記端部とが、前記第２の方向の同一直線上にあることを特徴とする請求項１から４のいずれか一つに記載の導光装置。
【国際調査報告】
2014087526.tif 000006
2014087526.tif 000007
2014087526.tif 000008